(57)【要約】【課題】  安全性の高い有効成分を使用して、オオウズラタケ、カワラタケなどの木材腐朽菌に対する強力な防除効果および／またはシロアリに対する防蟻効果を発揮するとともに、取扱い性および作業性に優れ、かつ、有効成分の残存性の高い木材防腐・防蟻剤を提供することを課題とする。【解決手段】  木材腐朽菌に対する抗菌活性およびシロアリに対する防蟻活性の少なくとも一方を有するアルデヒドまたはケトンの亜硫酸水素付加物を有効成分として含有する木材防腐・防蟻剤により、上記課題を解決する。【特許請求の範囲】
【請求項１】
木材腐朽菌に対する抗菌活性を有するアルデヒドまたはケトンの亜硫酸水素付加物を有効成分として含有する木材防腐剤。
【請求項２】
請求項１記載の木材防腐剤が、アミノアルコールを含有する水溶剤である木材防腐剤。
【請求項３】
アルデヒドまたはケトンが、桂皮アルデヒドおよびカプリンアルデヒドから選ばれた少なくとも１種である請求項１または２に記載の木材防腐剤。
【請求項４】
防蟻活性を有するアルデヒドまたはケトンの亜硫酸水素付加物を有効成分として含有する木材防蟻剤。
【請求項５】
アルデヒドまたはケトンが、桂皮アルデヒドである請求項４記載の木材防蟻剤。
【請求項６】
請求項１から５のいずれかに記載の木材防腐剤または木材防蟻剤で、木材を処理することを特徴とする木材の処理方法。
【発明の詳細な説明】
【技術分野】
【０００１】
この発明は、木材防腐・防蟻剤およびそれを用いる木材の処理方法に関する。さらに詳しくは、オオウズラタケ、カワラタケおよびナミダタケなどによる木材の腐朽や、ヤマトシロアリやイエシロアリなどによる木材の蟻害を防止または抑制できる、安全性に優れた木材防腐・防蟻剤およびそれを用いる木材の処理方法に関する。
【背景技術】
【０００２】
木材は軽量でありながら強度が大きいことや、加工のしやすさ、人体にやさしいなど、その優れた特質により様々な分野で重用されている。しかしながら、生物系材料であるために避けられない幾つかの欠点、すなわち燃え易い、狂い易い、腐り易い、虫に食われ易い、変色し易い、割れ易いなどの性質を併せもっている。これらの欠点、特に木材腐朽菌による腐朽や、シロアリなどによる虫害を防ぐことは、木材の供用期間の延長や木材製品の信頼性向上のために必要不可欠であり、これらの欠点が克服されれば、資源としての木材をより一層有効に利用でき、ひいては地球環境の保全に大きく寄与できる。
【０００３】
このような点に鑑み、木材腐朽菌の防除薬剤、すなわち木材防腐剤として、フェノール系化合物、有機ハロゲン系化合物、有機錫系化合物、ナフテン酸系化合物およびタール系化合物などの有機系薬剤や、銅化合物、クロム化合物とヒ素化合物との混合物であるＣＣＡ薬剤、銅化合物と有機系薬剤との併用、ならびに第4級アンモニウム塩とホウ酸系化合物と水溶性アルカノールアミンと亜鉛イオン供給化合物とから構成される薬剤などが提案されている。
【０００４】
上記の木材防腐剤の中で、有機系薬剤は効力の持続性および安全性に問題があり、また有害な元素や重金属を含有する薬剤は、環境規制に抵触する懸念があることからその使用が制限されたり、困難となってきていることから、高い安全性と効力持続性を兼ね備えた木材防腐剤の早期開発が望まれている。
【０００５】
そこで、安全性の高い桂皮アルデヒドを含むフェノール誘導体を基剤とする木材防腐剤が提案されている（特許文献１）。また、桂皮アルデヒド誘導体であるｏ−メトキシ桂皮アルデヒドなどのアルデヒド化合物が、シロアリに対する殺蟻と忌避の両方の活性を示すことが知られており(非特許文献１)、桂皮アルデヒドを含む芳香族アルデヒドによる昆虫またはクモガタ綱動物の殺虫方法が提案されている（特許文献２）。さらに、ヒノキチオール、アリルカラシ油およびニンニク抽出物からなる群から選択される少なくとも一種および乳化剤を含有する乳剤を農作物栽培用施設内において加熱して施設内に揮発、拡散させ施設内の除菌、減菌、害虫の忌避、芳香付加を行なう農作物の保護方法が提案されている（特許文献３）。しかしながら、上記公報のいずれにも桂皮アルデヒドの亜硫酸水素付加物に関する記載はない。
【０００６】
また、木材腐朽菌に対する抗菌活性を有するケトンとして代表される、青森ヒバ材などヒノキ科の木材に含まれるヒノキチオールなどのトロポロン系化合物は、木材の高耐久性の原因物質であることが報告されており、天然または合成のヒノキチオールを抗菌剤として種々の用途に応用する試みが行なわれ、木材防腐の成分としても利用されている（特許文献４）。さらに、本出願人は、トロポロン系化合物と桂皮アルデヒドとを相乗効果を奏する割合で含有する木材防腐剤およびそれを用いる木材の処理方法を提案した（特許文献５）。
しかしながら、上記公報のいずれにもトロポロン系化合物や桂皮アルデヒドの亜硫酸水素付加物に関する記載はない。
【０００７】
【特許文献１】特開平１０−７５０３号公報（請求項２）
【特許文献２】特表平１１−５０３４０６号公報（請求項１）
【特許文献３】特開平１０−１５２４０３号公報（請求項２）
【特許文献４】特開２００１−２７７２０８号公報（請求項１）
【特許文献５】特開２００３−３３４８０４号公報（請求項１）
【非特許文献１】Mokuzai gakkaishi  Vol. 24  No. 4  262-266頁(1978)（序文）
【発明の開示】
【発明が解決しようとする課題】
【０００８】
木材腐朽菌に対する抗菌活性および防蟻活性の少なくとも一方を有するアルデヒドまたはケトンのなかでも、桂皮アルデヒドは香料として食品添加物で指定されている物質であり、安全性については十分に評価されている。しかしながら、香料であるがゆえに桂皮様の臭いが強く、木材防腐・防蟻剤として使用する場合の作業性が問題となっていた。一方、カプリンアルデヒドおよびヒノキチオールにおいても、精油成分由来の臭いが強く作業性が問題となっていた。さらに、臭いの発生によって有効成分が減少することから、木材防腐・防蟻剤として使用した場合の効力低下も問題となっていた。
【０００９】
この発明は、安全性の高い有効成分を使用して、オオウズラタケ、カワラタケなどの木材腐朽菌に対する強力な防除効果および／または防蟻効果を発揮するとともに、取扱い性および作業性に優れ、かつ、有効成分の残存性の高い木材防腐・防蟻剤を提供することを課題とする。
【課題を解決するための手段】
【００１０】
この発明の発明者は、上記の課題を解決すべく鋭意研究を行った結果、木材腐朽菌に対する抗菌活性およびシロアリに対する防蟻活性の少なくとも一方を有するアルデヒドまたはケトンに酸性亜硫酸である亜硫酸水素塩を付加することにより、アルデヒドまたはケトンの有する臭気が抑制でき、さらに前記活性が維持あるいは増強できる事実を見出し、この発明を完成するに到った。
【００１１】
かくしてこの発明によれば、木材腐朽菌に対する抗菌活性およびシロアリに対する防蟻活性の少なくとも一方を有するアルデヒドまたはケトンの亜硫酸水素付加物を有効成分として含有する木材防腐・防蟻剤が提供される。
【００１２】
また、この発明によれば、木材腐朽菌に対する抗菌活性およびシロアリに対する防蟻活性の少なくとも一方を有するアルデヒドまたはケトンの亜硫酸水素付加物を有効成分として含有する木材防腐・防蟻剤で木材を処理することを特徴とする木材の処理方法が提供される。
【発明の効果】
【００１３】
この発明によれば、安全性の高い有効成分を使用して、オオウズラタケ、カワラタケなどの木材腐朽菌に対して強力な防除効果および／またはシロアリに対する防蟻効果を発揮するとともに、取扱い性および作業性に優れ、かつ、有効成分の残存性の高い木材防腐・防蟻剤を提供することができる。
【発明を実施するための最良の形態】
【００１４】
この発明において、アルデヒドまたはケトンの亜硫酸水素付加物は、アルデヒドまたはケトンに、酸性亜硫酸である亜硫酸水素塩(ナトリウム、カリウムなど)を付加させる公知の付加反応により得ることができる。
【００１５】
上記亜硫酸水素付加反応にあたり、アルデヒドまたはケトンと亜硫酸水素ナトリウム                  との反応割合は、通常、モル比で１：１とするのが好ましいが、上記亜硫酸水素付加反応後に、未反応のアルデヒドまたはケトンあるいは亜硫酸水素ナトリウムが残存し、反応生成物であるアルデヒドまたはケトンの亜硫酸水素付加物と共存しても、この発明の木材防腐・防蟻剤の効果に影響を及ぼすものではない。
【００１６】
この発明において、木材腐朽菌に対する抗菌活性および防蟻活性の少なくとも一方を有するアルデヒドとしては、桂皮アルデヒド、カプリルアルデヒド、カプリンアルデヒド、ラウリルアルデヒド、テトラデシルアルデヒド、パルミチンアルデヒド、シトラール、シトロネラール、フェルラアルデヒド（ＭＦ１７８）、バニリン、プロトカテキュアルデヒド、ペリリルアルデヒド、ミルテナールなどが挙げられ、抗菌効果および製剤安定性の点から桂皮アルデヒドおよびカプリンアルデヒドから選ばれた少なくとも１種を用いるのが好ましい。
【００１７】
また、この発明において、木材腐朽菌に対する抗菌活性および防蟻活性の少なくとも一方を有するケトンとしては、ヒノキチオール（β−ツヤプリシン）、α−ツヤプリシン、γ−ツヤプリシン、β−ドラブリン、ノートカチンなどのトロポロン系化合物、ベンゾキノン、ナフトキノン、アントラキノンなどのキノン誘導体、カルボン、カルボメントン、グリシルレチン酸、グリシン、ショウノウなどが挙げられる。
【００１８】
上記アルデヒドおよびケトンのいずれの化合物も、天然物からの抽出品、合成品を問わず、市販されているものを好適に用いることができる。
【００１９】
この発明の木材防腐・防蟻剤の剤型としては、使用目的により液剤（例えば水溶剤、水和剤（フロアブル製剤）、乳剤、固型剤（例えば粉剤、粒剤）、エアゾール剤など種々の剤型が可能であるが、水溶剤または乳剤が好ましく、水溶剤が特に好ましい。また、上記いずれの製剤も公知の方法を利用して製剤化することができる。
以下に、この発明の木材防腐剤の製剤法について述べる。
【００２０】
水溶剤とする場合には、通常、有効成分を有機溶媒に溶解したものを界面活性剤および水に加えて製剤化する。また、水溶剤を木材に塗布処理した場合の被膜形成のために、必要に応じて水溶剤に樹脂エマルションを添加してもよい。水溶剤において、有効成分を溶解および製剤安定化させる化合物としてアミノアルコール類を用いた場合、高濃度の有効成分を含有する水溶剤が製剤化できることから、特に好ましい。
【００２１】
この発明の木材防腐・防蟻剤を水溶剤とする場合に好適に用いられる有機溶媒を以下に例示する。
１）脂肪族炭化水素系
ｎ−ヘキサン、シクロヘキサン、ヘプタン、オクタンなど
２）芳香族炭化水素系
キシレン、トルエン、エチルベンゼン、クメンなど
３）エステル系
酢酸エチル、酢酸メチル、酢酸ｎ−ブチル、酢酸アミルなど
４）アルコール系
イソブタノール、ｓｅｃ−ブタノール、２−エチル−１−ブタノール、イソペンタノール、１−ヘプタノール、１−オクタノール、ネオペンチルアルコール、ジエチレングリコール、ジエチレングリコールモノメチルエーテル（ＭＤＧ）など
５）ケトン系
アセトン、メチルエチルケトン、メチルイソブチルケトン、メチルアミルケトン、シクロヘキサノンなど
６）カーボネート
エチレンカーボネート、ブチレンカーボネート、プロピレンカーボネート、ジメチルカーボネートなど
７）アミノアルコール
N,N-ジエチルエタノールアミン、N,N-ジメチルエタノールアミン、N,N-ジブチルエタノールアミン、N-(β-アミノエチル)エタノールアミン、N-メチルエタノールアミン、N-メチルジエタノールアミン、Ｎ-エチルエタノールアミン、N-n-ブチルエタノールアミン、N-n-ブチルジエタノールアミン、N-t-ブチルエタノールアミン、N-t-ブチルエタノールアミン、N-(β-アミノエチル)イソプロパノールアミン、N,N-ジエチルイソプロパノールアミン、グルコサミン、アデノシン、アラビノシルシトシン、グアノシンなど
上記の有機溶媒は、単独でまたは２種以上のものを組み合わせて用いることができる。
【００２２】
水溶剤としては、カチオン系界面活性剤、アニオン系界面活性剤、ノニオン系界面活性剤または両性界面活性剤のいずれも使用できるが、製剤の安定性の点でノニオン系界面活性剤が好ましい。ノニオン系界面活性剤としては、例えば、ソルビタン型、アルキルエーテル型およびアルキロールアミド型の界面活性剤などが挙げられる。
【００２３】
樹脂エマルションとしては、例えば、ポリ酢酸ビニル樹脂エマルション（樹脂固形分率４０〜５０％、平均分子量２，０００〜１００，０００）、ポリ酢酸ビニル・エチレン共重合体樹脂エマルション（樹脂固形分率４０〜５０％、平均分子量２，０００〜１００，０００）、ポリアクリル酸エステル樹脂エマルション（樹脂固形分率３０〜４０％、粘度１００〜５００ｃＰｓ、平均分子量３，０００〜５０，０００）が挙げられる。
【００２４】
水溶剤は、通常、有効成分を例えばアルコール系溶媒およびアミノアルコールに溶解したものを界面活性剤および水に加えて製剤化する。水溶剤は、製剤を１００重量部としたとき、有効成分量が１〜２５重量部、残部を有機溶媒と水と界面活性剤とするのが好ましい。これらの水溶剤は、使用時に水で所定の倍率、例えば２〜１０倍に希釈して使用することもできる。
【００２５】
また、水和剤（フロアブル製剤）は、製剤を１００重量部としたとき、有効成分が１〜２５重量部、乳化剤または増粘剤（例えばポリアクリル酸またはその塩、ポリビニルアルコール）が１０〜４０重量部程度とするのが好ましい。
【００２６】
乳剤とする場合には、通常、有効成分を乳化のための乳化剤と混合し、これに有機溶媒と水を加えて製剤化する。また、乳剤を木材に塗布処理した場合の被膜形成のために、必要に応じて水溶剤で例示された樹脂エマルションを乳剤に添加してもよい。
【００２７】
乳剤は、製剤を１００重量部としたとき、有効成分量が１〜２５重量部、残部を有機溶媒、水および界面活性剤、さらには樹脂エマルションとするのが好ましい。これらの乳剤は、使用時に水で所定の倍率、例えば２〜１０倍に希釈して使用される。
【００２８】
粉剤とする場合には、通常、有効成分を固体希釈剤（例えばカオリン、クレー、ベントナイト、ＣＭＣ、二酸化チタン、ホワイトカーボン、タルク、木粉、澱粉、デキストリン、シリカゲル粉末、水酸化カルシウムなどのカルシウム塩、無水石膏など）で希釈し、混合粉砕して製剤化する。
また、粒剤とする場合には、前記粉剤を成形して製剤化する。
粉剤および粒剤のような固型剤は、製剤を１００重量部としたとき、有効成分量が０．１〜２０重量部とするのが好ましい。
【００２９】
エアゾール剤とする場合、有機溶媒としては、水溶剤で例示された有機溶媒を使用することができる。また、噴射剤としては、代替フロン、液化天然ガスを好適に用いることができる。使用時には、これを噴霧部と弁を備えた気密容器に加圧充填して用いる。
【００３０】
この発明によれば、木材腐朽菌に対する抗菌活性およびシロアリに対する防蟻活性の少なくとも一方を有するアルデヒドまたはケトンに、酸性亜硫酸である亜硫酸水素塩を付加し有効成分とした木材防腐・防蟻剤で、木材を処理することを特徴とする木材の処理方法が提供される。具体的には、木材処理用の減圧・加圧可能な注入缶、薬液貯蔵・回収用タンクおよびこれらを接続する配管から構成される木材注入処理系内で、木材を常法により処理することからなる木材の処理方法が提供される。
木材の処理方法は、この減圧・加圧などの注入法のほかに、塗布、浸漬、噴霧などの通常の方法であってもよい。
【００３１】
この方法で木材に注入されるべき処理剤中のアルデヒドまたはケトンの亜硫酸水素付加物の量は、処理される木材の種類や用途、形状によっても左右されるが、通常、木材１ｍ３当たり、約０．１〜３０ｋｇである。そのためには処理液中の有効成分の濃度を０．０１〜３０重量％とすると都合がよい。
【００３２】
この発明の木材防腐・防蟻剤は、多くの既存の木材防腐・防蟻・防カビ剤と混合して使用することができる。混合できる木材防腐剤としては、例えばヒノキチオール（別名：β−ツヤプリシン）、α−ツヤプリシン、γ−ツヤプリシン、β−ドラブリン、ノートカチンなどのトロポロン系化合物、桂皮アルデヒドおよびその誘導体、４−クロルフェニル−３−ヨードプロパギルフォルマール、３−エトキシカルビニルオキシ−１−ブロム−１，２−ヨードプロペン、３−ヨード−２−ユーピロベニルブチルカーバメートなどの有機ヨード系化合物類、ナフテン酸銅、ナフテン酸亜鉛などのナフテン酸金属塩類、Ｎ−ニトロン−シクロヘキシルヒドロキシルアミンアルミニウムなどのヒドロキシルアミン系化合物類、モノクロルナフタリンなどのナフタリン系化合物類、Ｎ−メトキシ−Ｎ−シクロヘキシル−４−（２，５−ジメイルフラン）カルバリニドなどのアニリド系化合物類、Ｎ，Ｎ−ジメチル−Ｎ'−フェニル−Ｎ'（ジクロフルオロメチルチオ）スルファミドなどのハロアルキルチオ系化合物類、テトラクロルイソフタロニトリルなどのニトリル系化合物類、クレオソート油などのタール系化合物類、ジニトロフェノール、ジニトロクレゾール、クロロニトロフェノール、２，５−ジクロロ−４−ブロモフェノールなどのフェノール類、ジデシルジメチルアンモニウムクロライド、ジデシルジメチルアンモニウムアジペート、Ｎ−アルキルベンジルメチルアンモニウムクロライドなどの第４級アンモニウム塩類、ホルマリン、グルタルアルデヒド、パラホルムアルデヒドなどのアルデヒド類、ＴＢＴＯ、トリブチルスズフタレートなどの有機スズ類、エタノール、イソプロパノール、プロパノールなどのアルコール類、５−クロロ−２−メチル−４−イソチアゾリン−３−オン、１，２−ベンゾイソチアゾリン−３−オン、２−ｎ−オクチル−４−イソチアゾリン−３−オン、４，５−ジクロロ−２−オクチル−４−イソチアゾリン−３−オン、またはそれらの金属塩などのイソチアゾロン系化合物類、その他パーメスリン、テブコナゾール、シプロコナゾール、プロピコナゾール、アザコナゾール、２−メルカプトベンゾチアゾールなどの有機化合物類、ヒ素化合物、五酸化二ヒ素、ヒ酸水素ナトリウム、ヒ酸、クロム化合物、三酸化クロム、二クロム酸カリウム、二クロム酸ナトリウム、二クロム酸アンモニウム、銅化合物、酸化第二銅、硫酸銅、硝酸銀、ふっ化ナトリウム、けいふっ化銅、けいふっ化亜鉛、ホウ酸、ホウ酸ナトリウム、酸化アンチモンなどの無機化合物類などが挙げられる。
【００３３】
また、混合できる木材防蟻剤としては、例えばヒノキチオールなどのトロポロン系化合物、ヒバ油、中性ヒバ油などの精油、デカン酸などのアルキルカルボン酸誘導体、デカン酸などを含むヤシ油誘導体、ホキシム、クロルホピリス、ピリダフェンチオン、テトラクロルビンホス、フェニトロチオン、プロペンタンホスなどの有機リン系化合物類、ペルメトリン、トラロメスリン、アレスリンなどのピレスロイド系化合物類、シラフルオフェン、エントフェンブロックスなどのピレスロイド様化合物類、プロボクサル、バッサなどのカーバメート系化合物類、トリプロピルイソシアヌレートなどのトリアジン系化合物類、モノクロルナフタリンなどのナフタリン系化合物類、オクタクロロジプロピルエーテルなどの塩素化ジアルキルエーテル添加系化合物類、イミダクロプリドなどのクロルニコチニル化合物類などが挙げられる。
【００３４】
また、この発明の木材防腐・防蟻剤は、一般に建築用、土木工事用および紙・パルプなど工業製品製造用繊維原料用の木材を対象とするが、特に環境、種々の条件などにより木材腐朽菌が発生しやすいアカマツ、スギおよびブナなどに好適に用いることができる。
【００３５】
この発明の木材防腐・防蟻剤で処理された木材を、浸透性・造膜性を有する硬化型合成樹脂塗料でさらに全面塗装処理すれば、処理済みの木材を屋外で使用しても有効成分の揮発や溶脱が抑制され、防腐・防蟻効果がより一層補強され、屋外での長期使用にも十分耐え得る性能を付与することができる。そのような硬化型合成樹脂塗料としては、例えばポリウレタン樹脂塗料などが挙げられる。
【実施例１】
【００３６】
この発明を実施例によりさらに詳細に説明するが、これらの実施例によりこの発明が限定されるものではない。
【００３７】
下記の有効成分、界面活性剤および有機溶媒を混合、撹拌することにより木材防腐・防蟻剤製剤を調製した。
製剤例１
桂皮アルデヒド                                                        １５重量部
亜硫酸水素ナトリウム                                              １４．３重量部
ノニオン系界面活性剤                                                  ２０重量部
グリコール系溶剤                                                    ８．２重量部
アミノアルコール                                                  １２．５重量部
水                                                                    ３０重量部
【００３８】
製剤例２
カプリンアルデヒド                                                      ４重量部
亜硫酸水素ナトリウム                                                ３．２重量部
アミノアルコール                                                      ３２重量部
水                                                                ６０．８重量部
【００３９】
製剤例３
カッシアオイル                                                        １５重量部
亜硫酸水素ナトリウム                                              １４．３重量部
ノニオン系界面活性剤                                                  ２０重量部
グリコール系溶剤                                                    ８．２重量部
アミノアルコール                                                  １２．５重量部
水                                                                    ３０重量部
【００４０】
製剤例４
シナモンバークオイル                                                  １５重量部
亜硫酸水素ナトリウム                                              １４．３重量部
ノニオン系界面活性剤                                                  ２０重量部
グリコール系溶剤                                                    ８．２重量部
アミノアルコール                                                  １２．５重量部
水                                                                    ３０重量部
【００４１】
比較製剤例１
桂皮アルデヒド                                                        １０重量部
高級アルコール系界面活性剤（三洋化成工業(株)製、ナロアクティーN-140） ４０重量部
アルコール系溶剤                                                      １６重量部
カーボネート系溶剤                                                    １０重量部
水                                                                    ２４重量部
【００４２】
比較製剤例２
カプリンアルデヒド                                                  １．５重量部
ジエチレングリコールモノメチルエーテル                            ９８．５重量部
【００４３】
試験例１(木材防腐効果確認試験)
試験は木材防腐剤の性能基準及び試験方法(JIS K 1571:1998)に準拠した(全て耐候操作あり)。供試菌株には農林水産省森林総合研究所（FFPRI）で分離した木材防腐剤防腐性能試験用標準菌より継代培養したオオウズラタケ（Fomitopsis palustris(Berk.et Curt.)Gilbn.&Ryv. FFPRI 0507、以下「TYP」と略す。）を使用した。 供試薬剤および試験結果を表１、２および３に示す。但し、注入濃度は亜硫酸水素付加物化前の有効成分の値である。
【００４４】
【表１】
2005313538.tif 000002
【００４５】
試験例２（徐放性確認試験）
秤量瓶に、桂皮アルデヒド、カプリンアルデヒドおよびそれらの亜硫酸水素付加物をそれぞれ５．０ｇずつ正確に測り取り、６０℃の送風乾燥器中で４日間乾燥した。乾燥前後の重量を測定し、下式により残存率を求めた。その結果を表２に示す。
残存率（％）＝（乾燥後の試料重量）／（乾燥前の試料重量）×１００
【００４６】
【表２】
2005313538.tif 000003
【００４７】
試験例３（防蟻効果確認試験）
製剤例１を用いて、(社)日本木材保存協会規格「加圧処理用木材防蟻剤の室内防蟻効力試験方法および性能基準」（JWPS-TW-P.1）に準じて、木材防蟻効果確認試験を行なった。その結果を表３に示す。但し、注入濃度は亜硫酸水素付加物化前の有効成分の値である。
【００４８】
【表３】
2005313538.tif 000004